(57)【特許請求の範囲】
【請求項１】
調理容器を加熱するコンロバーナと、前記調理容器が載置される五徳と、前記コンロバーナを上下方向に貫通する貫通口に挿通されて前記調理容器の温度を検出する温度検出装置と、前記コンロバーナの火力を制御する制御手段とを備えるガスコンロであって、
前記温度検出装置が、（ａ）一端側が前記ガスコンロに設けた所定の固定部に固定され、前記一端側に対する他端側が上下方向に伸びるように配設された固定側支持部材と、（ｂ）前記固定側支持部材に支持され、前記固定側支持部材に対して上下動可能に構成された移動側支持筒と、（ｃ）前記移動側支持筒の上端に配設され、前記調理容器の上下動に追随して上下動することにより、前記調理容器の底面に常時当接するように構成された当接体と、（ｄ）前記当接体の下面側に、前記当接体と熱的に結合する態様で配設されたサーミスタとを具備しているとともに、
前記所定の固定部が下降して、前記当接体の上面が前記五徳の上端より下方に位置する前記温度検出装置の下降状態と、前記所定の固定部が上昇して前記当接体の上面が前記五徳の上端より上方に位置する前記温度検出装置の上昇状態とを切り換える切換手段を備えており、さらに、
前記温度検出装置が前記上昇状態にあるときに、前記調理容器が前記五徳上に載置された場合に、前記調理容器の載置を検出する載置検出部を備えているとともに、
前記温度検出装置が前記下降状態にあるときに、前記載置検出部が前記調理容器の載置を検出した場合には、前記制御手段が、前記調理容器の前記載置検出部が故障していると判断して前記コンロバーナによる加熱を停止するように構成されていること
を特徴とするガスコンロ。
【請求項２】
前記固定側支持部材の前記他端側と、前記一端側との間に水平方向に伸びる横引き部を備え、前記固定側支持部材の前記一端側に前記切換手段が配置されていることを特徴とする請求項１記載のガスコンロ。
【請求項３】
前記温度検出装置の前記下降状態と、前記上昇状態とを切り換える際に、前記固定側支持部材の前記他端側を前記貫通口に沿って誘導する誘導体を備えていることを特徴とする請求項２記載のガスコンロ。
【請求項４】
（ａ）前記コンロバーナによる加熱を停止する場合には、前記制御手段が、前記温度検出装置が前記下降状態となるように前記切換手段を制御し、（ｂ）前記コンロバーナによる加熱を行う場合には、前記制御手段が、前記温度検出装置が前記上昇状態となり、（ｃ）前記調理容器が前記五徳上に載置されている場合には、前記制御手段が、前記温度検出装置の当接部が、前記調理容器の底面に当接するように、前記切換手段を制御することを特徴とする請求項１〜３のいずれかに記載のガスコンロ。
【発明の詳細な説明】
【技術分野】
【０００１】
本発明は、ガスコンロに関し、詳しくは、鍋や釜などの調理容器の温度を検出する温度検出装置を備えたガスコンロに関する。
【背景技術】
【０００２】
ガスコンロには、鍋や釜などの調理容器の温度を検出する温度検出装置と、検出された調理容器の温度により、コンロバーナの火力を制御する制御手段を備えたガスコンロがある。
【０００３】
そのようなガスコンロとして、特許文献１には、調理器の温度を検出する温度検出手段（温度検出装置）と、火力調節を行う制御手段とを備えた加熱調理器（ガスコンロ）であって、加熱手段であるコンロバーナによって加熱される調理容器の下面に、温度検出手段の当接体（集熱板）が当接して、調理容器の下面の温度を検出し、その検出温度に応じて、制御手段がコンロバーナの火力調節を行うようにした加熱調理器（ガスコンロ）が提案されている。
【先行技術文献】
【特許文献】
【０００４】
【特許文献１】特開２０１３−１６４２５７号公報
【発明の概要】
【発明が解決しようとする課題】
【０００５】
しかしながら、上述の特許文献１の加熱調理器（ガスコンロ）の場合、温度検出手段（温度検出装置）の当接体（集熱板）は、調理容器が載置されない状態において、調理容器を載置する五徳の上端よりも上方に突出した状態となる。
【０００６】
その場合、一つのコンロバーナの五徳上から、他のコンロバーナの五徳上に調理容器を移動させたり、一旦五徳上から調理容器を退避させて、再び当該五徳上に調理容器を戻したりする場合に、五徳の上端よりも上方に突出した温度検出手段が、調理容器の移動の邪魔になる場合があり、使い勝手が悪いという問題点がある。
【０００７】
本発明は、上記課題を解決するものであり、調理容器の温度を検出するための温度検出手段（温度検出装置）が、五徳上において調理容器を移動させる場合に邪魔になるようなことがなく、使い勝手のよいガスコンロを提供することを目的とする。
【課題を解決するための手段】
【０００８】
上記の目的を達成するために、本発明のガスコンロは、
調理容器を加熱するコンロバーナと、前記調理容器が載置される五徳と、前記コンロバーナを上下方向に貫通する貫通口に挿通されて前記調理容器の温度を検出する温度検出装置と、前記コンロバーナの火力を制御する制御手段とを備えるガスコンロであって、
前記温度検出装置が、（ａ）一端側が前記ガスコンロに設けた所定の固定部に固定され、前記一端側に対する他端側が上下方向に伸びるように配設された固定側支持部材と、（ｂ）前記固定側支持部材に支持され、前記固定側支持部材に対して上下動可能に構成された移動側支持筒と、（ｃ）前記移動側支持筒の上端に配設され、前記調理容器の上下動に追随して上下動することにより、前記調理容器の底面に常時当接するように構成された当接体と、（ｄ）前記当接体の下面側に、前記当接体と熱的に結合する態様で配設されたサーミスタとを具備しているとともに、
前記所定の固定部が下降して、前記当接体の上面が前記五徳の上端より下方に位置する前記温度検出装置の下降状態と、前記所定の固定部が上昇して前記当接体の上面が前記五徳の上端より上方に位置する前記温度検出装置の上昇状態とを切り換える切換手段を備えており、さらに、
前記温度検出装置が前記上昇状態にあるときに、前記調理容器が前記五徳上に載置された場合に、前記調理容器の載置を検出する載置検出部を備えているとともに、
前記温度検出装置が前記下降状態にあるときに、前記載置検出部が前記調理容器の載置を検出した場合には、前記制御手段が、前記調理容器の載置検出部が故障していると判断して前記コンロバーナによる加熱を停止するように構成されていること
を特徴としている。
【０００９】
本発明のガスコンロにおいては、前記固定側支持部材の前記他端側と、前記一端側との間に水平方向に伸びる横引き部を備え、前記固定側支持部材の前記一端側に前記切換手段が配置されていることが好ましい。
【００１０】
また、前記温度検出装置の前記下降状態と、前記上昇状態とを切り換える際に、前記固定側支持部材の前記他端側を前記貫通口に沿って誘導する誘導体を備えていることが好ましい。
【００１１】
また、（ａ）前記コンロバーナによる加熱を停止する場合には、前記制御手段が、前記温度検出装置が前記下降状態となるように前記切換手段を制御し、（ｂ）前記コンロバーナによる加熱を行う場合には、前記制御手段が、前記温度検出装置が前記上昇状態となり、（ｃ）前記調理容器が前記五徳上に載置されている場合には、前記制御手段が、前記温度検出装置の当接部が、前記調理容器の底面に当接するように、前記切換手段を制御すること
が好ましい。
【発明の効果】
【００１２】
本発明のガスコンロは、上述のように構成されており、温度検出装置が、（ａ）固定側支持部材と、（ｂ）固定側支持部材に支持され、固定側支持部材に対して上下動可能に構成された移動側支持筒と、（ｃ）移動側支持筒の上端に配設され、調理容器の上下動に追随して上下動することにより、調理容器の底面に常時当接するように構成された当接体と、（ｄ）当接体の下面側に、当接体と熱的に結合するような態様で配設されたサーミスタとを具備しているとともに、所定の固定部が下降して、当接体の上面が五徳の上端より下方に位置する温度検出装置の下降状態と、所定の固定部が上昇して当接体の上面が五徳の上端より上方に位置する温度検出装置の上昇状態とに切り換える切換手段を備えているので、温度検出装置の下降状態では、五徳上において調理容器を移動させるときに、温度検出装置が邪魔になることがない。しかも、温度検出装置の上昇状態においては、五徳上に調理容器が載置されたときに当接体が調理容器の下面の上下位置に追随して上下するので、温度検出装置によって調理容器の温度を適切に検出することができる。
【００１３】
また、温度検出装置が前記上昇状態にあるときに、調理容器が五徳上に載置された場合に、調理容器の載置を検出する載置検出部を備えているので、調理容器が五徳上に載置されているか否かに応じて、制御手段によって適切にコンロバーナの火力を制御する。具体的には、調理容器が五徳上に載置されていないときにはコンロバーナの火力を小火力にしたり、コンロバーナを消火したりするなどの制御を行うことが可能になり、安全性や信頼性を向上させることが可能になる。
【００１４】
また、温度検出装置が下降状態にあるときに、載置検出部が調理容器の載置を検出した場合には、制御手段が、載置検出部が故障していると判断してコンロバーナによる加熱を停止するようにしているので、信頼性をさらに向上させることができる。
【００１５】
すなわち、温度検出装置の下降状態においては、調理容器が五徳上に載置されたときであっても、当接体の上面が五徳の上端より下方に位置しているため、載置検出部は、調理容器が五徳上に載置されたことを検出できないが、このときに、載置検出部が調理容器が載置されたことを検出した場合には、制御手段は、載置検出部が故障していると判断することができる。
そして、載置検出部が故障していると判断したときに、コンロバーナによる加熱を停止することにより、調理容器の載置検出部が故障した状態でコンロバーナによる加熱が継続されてしまうことを防止して、安全性を向上させることができる。
【００１６】
また、固定側支持部材の他端側と、一端側との間に水平方向に伸びる横引き部を備え、固定側支持部材の一端側に切換手段が配置された構成とした場合、コンロバーナを上下方向に貫通する貫通口から煮汁などが浸入したときにも、侵入した煮汁などが切換手段に落下することを防止することが可能になり、より信頼性の高いガスコンロを提供することが可能になる。
【００１７】
また、温度検出装置の下降状態と、上昇状態とを切り換える際に、固定側支持部材の他端側を貫通口に沿って誘導する誘導体を備えた構成とした場合、固定側支持部材の一端側に切換手段が配置される場合にも、固定側支持部材の他端側が誘導体によって貫通口に沿って誘導されるので、移動側支持筒の上端に配設される当接体を調理容器の底面に適切に当接させることが可能になり、信頼性の高いガスコンロを提供することが可能になる。
【００１８】
（ａ）コンロバーナによる加熱を停止する場合には、制御手段が、温度検出装置が下降状態となるように切換手段を制御し、（ｂ）コンロバーナによる加熱を行う場合には、制御手段が、温度検出装置が上昇状態となり、（ｃ）調理容器が五徳上に載置されている場合には、制御手段が、温度検出装置の当接部が、調理容器の底面に当接するように、切換手段を制御するように構成した場合、コンロバーナによる加熱が停止したときに温度検出装置が下降するため、温度検出装置が調理容器の移動などの邪魔になることがなく、また、コンロバーナによる加熱を行うときには、調理容器の底面に当接した温度検出装置によって調理容器の温度を適切に検出することが可能になり、本発明をさらに実効あらしめることができる。
【図面の簡単な説明】
【００１９】
【図１】本発明の一実施形態にかかるガスコンロの外観構成を示す斜視図である。
【図２】本発明の一実施形態にかかるガスコンロの、温度検出装置の下降状態における要部構成を示す側面図である。
【図３】本発明の一実施形態にかかるガスコンロの、温度検出装置の上昇状態における要部構成を示す側面図である。
【図４】本発明の一実施形態にかかるガスコンロの、温度検出装置上に調理容器を載置した状態における要部構成を示す側面図である。
【図５】本発明の一実施形態にかかるガスコンロの、温度検出装置の昇降制御サブルーチンのフローチャートを示す図である。
【図６】本発明の一実施形態にかかるガスコンロの調理容器の載置検出部の検出原理を説明する図である。
【図７】本発明の別実施形態にかかるガスコンロの温度検出装置の下降状態において、五徳上に調理容器を載置したときの要部側面図である。
【発明を実施するための形態】
【００２０】
［実施形態］
以下、本発明の実施形態を示して、その特徴とするところをさらに詳しく説明する。
【００２１】
＜ガスコンロの基本構造＞
図１は本発明の実施形態にかかるグリル付きガスコンロ（ドロップインコンロ）の外観構成を示す図である。
【００２２】
このグリル付きガスコンロＡ（以下、単にガスコンロともいう）は、図１に示すように、コンロバーナとして、標準バーナ１ａ、高火力バーナ１ｂ、および小バーナ１ｃの３つのコンロバーナ（加熱部）を備えており、トッププレートの上部に、標準バーナ１ａ、高火力バーナ１ｂ、および小バーナ１ｃに対する鍋などの被加熱物（調理物）を受け止め、支持するための五徳５１が載置されている。
【００２３】
そして、標準バーナ（コンロバーナ）１ａには、被加熱物（例えば、調理容器である鍋の底）に接触してその温度を検出するためのサーミスタからなる温度検出装置（温度センサ）９が，標準バーナ１ａを上下方向に貫通する貫通口２に挿通されて標準バーナ１ａの中央を貫通するように配設されている。なお、この温度検出装置９を備えた標準バーナ１ａにより、炊飯、湯沸かし、揚げものなどの温調調理を行うことができる。
【００２４】
また、グリル部４は、前面部が開口した箱状に形成されたグリル庫内に、魚などの被調理物を載置するための載置部として機能する焼き網を設けて構成されている。また、グリル庫内には、加熱部として、１つの上側バーナ（図示せず）と２つの下側バーナ（図示せず）が配設されている。
【００２５】
さらに、ガスコンロＡの前面（前側面）には、上述のコンロバーナとグリルバーナの点火および消火、火力調節と各種の設定とを指令する手動操作部３４が設けられている。
【００２６】
また、このガスコンロＡは、各種の制御を実行するように構成された制御部（制御手段）（図示せず）を備えている。制御手段は、手動操作部３４にて指令された指令情報に基づいて、コンロバーナおよびグリルバーナの燃焼状態などを制御するように構成されている。
また、ガスコンロＡの前面には、自動復帰型の押し操作式の電源スイッチ２４、電源ランプ２５が設けられている。
【００２７】
上記手動操作部３４は、コンロバーナ（標準バーナ１ａ、高火力バーナ１ｂ、小バーナ１ｃ）の夫々に対して各別に点火・消火や火力調節を指令するための３つの加熱状態調節部２１（２１ａ，２１ｂ，２１ｃ）、標準バーナ１ａの温調機能（湯沸かし、揚げ物、炊飯）とタイマ機能についての操作および表示を行う標準バーナ用の付加機能操作・表示部３２、グリルバーナ（特に図示しない上側バーナと下側バーナ）の火力調節などを行うグリルバーナ操作部２２、グリルバーナの作動状態の切り換えを指令するグリル用の付加機能操作・表示部３３などを備えている。
【００２８】
＜特徴的構成＞
次に、本発明の実施形態にかかるガスコンロＡの特徴的な構成について説明する。
【００２９】
本発明の一実施形態にかかるガスコンロＡにおいて、標準バーナ（コンロバーナ）１ａに用いられている温度検出装置９は、図２〜４に示すように、（ａ）一端側１１ａがガスコンロＡに設けた固定部６１に固定され、一端側１１ａに対する他端側１１ｂが上下方向に伸びるように配設された固定側支持部材１１と、（ｂ）固定側支持部材１１に支持され、固定側支持部材１１に対して上下動可能に構成された移動側支持筒１２と、（ｃ）移動側支持筒１２の上端に配設され、調理容器４０の上下動に追随して上下動することにより、調理容器４０の底面に常時当接するように構成された当接体１３と、（ｄ）当接体１３の下面側に、当接体１３と熱的に結合する態様で配設されたサーミスタ１４とを備えている。
【００３０】
この実施形態では、ガスコンロＡに設けたナットが、上述の固定側支持部材１１の一端側１１ａが固定される所定の固定部６１として機能するように構成されている。
【００３１】
また、固定側支持部材１１の一端側１１ａと他端側１１ｂとの間には、水平方向に伸びる横引き部１１ｃが設けられており、固定側支持部材１１の一端側１１ａと他端側１１ｂの間の横引き部１１ｃに、以下に説明する切換手段１００が配置されている（図２、図３、図４）。
【００３２】
すなわち、この実施形態のガスコンロＡは、
１）所定の固定部であるナット６１が下降することにより、当接体１３の上面が五徳５１の上端より下方に位置する温度検出装置９の下降状態と、
２）固定部（ナット）６１が上昇することにより、当接体１３の上面が五徳５１の上端より上方に位置する温度検出装置９の上昇状態と
を切り換える切換手段１００を備えており、切換手段１００は、固定側支持部材１１の横引き部１１ｃに配設されている。
【００３３】
次に、切換手段１００について詳しく説明する。
図２〜４に示すように、切換手段１００を構成する固定部（ナット）６１には、その中心を上下方向に貫通する形態で雌ねじ６２が形成されている。そして、切換手段１００を構成する駆動手段であるモータ（この実施形態ではステッピングモータ）６６の出力軸６４には雄ねじ６５が形成されており、出力軸６４に形成された雄ねじ６５と、固定部（ナット）６１に形成された雌ねじ６２が螺合するように構成されている。
【００３４】
なお、モータ６６の出力軸６４が回転しても、固定側支持部材１１が、固定部（ナット）６が固定された箇所を中心として回転しないように構成されている。
【００３５】
また、雄ねじ６２が形成された出力軸６４が回転したときにも、固定部（ナット）６１は回転しないように構成されている。
したがって、この実施形態のガスコンロＡにおいて、モータ６６の出力軸６４が回転すると、モータ６６の出力軸６４の回転に伴い、固定部（ナット）６１が上下方向に移動することになる。
【００３６】
このように、この実施形態のガスコンロＡでは、固定部（ナット）６１、モータ（ステッピングモータ）６６、モータ６６の出力軸６４などが切換手段１００を構成している。
【００３７】
また、この実施形態のガスコンロＡは、図２〜４に示すように、温度検出装置９を構成する、固定側支持部材１１の他端側１１ｂをコンロバーナ１（１ａ）の貫通口２に沿って誘導するための誘導体（誘導板）８１を備えている（図２〜４）。
【００３８】
さらに、この実施形態のガスコンロＡは、温度検出装置９の上昇状態において調理容器４０が五徳５１上に載置されたことを検出する調理容器４０の載置検出部８０を備えている（図２〜４）。
【００３９】
すなわち、この実施形態のガスコンロＡにおいては、固定側支持部材１１の横引き部１１ｃの下側にリードスイッチ７１が配設され、横びき部１１ｃの上側の、前記横びき部１１ｃを介してリードスイッチ７１と対向する位置にマグネット（永久磁石）７２が配設されている。また、横引き部１１ｃの内部には、磁性体（強磁性体）７３が配設されている。なお、磁性体（強磁性体）７３は、サーミスタ１４と、制御手段を接続するためのサーミスタ用リード線４５の所定の位置に取り付けられている。
【００４０】
そして、上述のリードスイッチ７１およびマグネット７２と、磁性体７３とが、調理容器４０が五徳５１上に存在するか否かを検出する載置検出部８０を構成している。
【００４１】
この載置検出部８０においては、
（ａ）図２に示すように温度検出装置９が五徳５１よりも下方に位置する下降状態や、
（ｂ）図３に示すように温度検出装置９が五徳５１よりも上方に位置する上昇状態において、調理容器４０が五徳５１上に載置されていないときには、
固定側支持部材１１の横引き部１１ｃの外側に、横引き部１１ｃを挟んで配設されたリードスイッチ７１とマグネット７２の間に、磁性体７３が存在するように構成されている。
【００４２】
そして、この載置検出部８０によれば、上記（ａ）の温度検出装置９の下降状態や、上記（ｂ）の温度検出装置９の上昇状態において、リードスイッチ７１とマグネット７２の間に、磁性体７３が存在する場合には、リードスイッチ７１がＯＦＦすることで、調理容器４０が五徳５１上に載置されていない非載置状態であることが検出される。
【００４３】
一方、温度検出装置９が五徳５１よりも上方に位置する上昇状態において、五徳５１上に調理容器４０が載置されると、移動側支持筒（可動筒）１２が下方に移動し、固定側支持部材１１の横引き部１１ｃの内部において、サーミスタ用リード線４５に取り付けられた磁性体７３がサーミスタ用リード線４５とともに右方向に移動し、リードスイッチ７１とマグネット７２の間に、磁性体７３が位置しなくなり、リードスイッチ７１がＯＮする。これにより、調理容器４０が五徳５１上に載置されていない非載置状態から、調理容器４０が五徳５１上に載置された載置状態になったことが検出される。以下、さらに詳しく説明する。
【００４４】
磁性体（強磁性体）７３は、移動側支持筒１２の上下動と共に固定側支持部材１１内を移動するサーミスタ用リード線４５に止着されており、図４に示すように温度検出装置９の上昇状態において調理容器４０が五徳５１上に載置された載置状態では、リードスイッチ７１とマグネット７２との間から離間した位置に磁性体７３が移動する。
【００４５】
そして、リードスイッチ７１とマグネット７２との間に磁性体（強磁性体）７３が存在するときは、図６（ａ）に示すように、マグネット７２からの磁力線の大半が磁性体７３を通過しリードスイッチ７１にはマグネット（永久磁石）７２からの磁力線がほとんど通過せずリードスイッチ７１がＯＦＦする。
【００４６】
また、リードスイッチ７１とマグネット７２の間から離間した位置に磁性体７３が移動したときには、図６（ｂ）に示すように、マグネット７２からの磁力線は磁性体７３によって遮蔽されず、マグネット７２からの磁力線がリードスイッチ７１を通過してリードスイッチ７１がＯＮする。
【００４７】
そのため、図３に示す温度検出装置９の上昇状態において調理容器４０が五徳５１上に載置されていないときには、リードスイッチ７１がＯＦＦし、図４に示すように温度検出装置９の上昇状態において調理容器４０が五徳５１上に載置された載置状態では、リードスイッチ７１がＯＮし、温度検出装置９の上昇状態において調理容器４０が五徳５１上に載置されたことが検出される。
【００４８】
このように、本実施形態のガスコンロＡは、温度検出装置の上昇状態において調理容器が五徳上に載置されたことを検出する調理容器の載置検出部を備えているので、調理容器４０が五徳５１上に載置されているか否かに応じて、制御手段が適切にコンロバーナ１ａの火力を制御する、例えば、調理容器４０が五徳５１上に載置されていないときにはコンロバーナ１ａの火力を小火力に減少したり、調理容器４０が五徳５１上に載置されていないときにはコンロバーナ１ａを消火したりするなどの制御を行う。
【００４９】
また、この実施形態のガスコンロＡでは、制御手段を構成するマイクロコンピュータが、メインルーチンにおいて、所定の周期（例えば０．０５秒に１回）で繰り返し温度検出装置９の昇降に関する制御サブルーチンを実行するように構成されている。
【００５０】
以下に、この実施形態のガスコンロＡが備える制御手段による、切換手段１００の制御に関する温度検出装置９の昇降制御サブルーチン（温度検出装置昇降制御サブルーチン）について、図５を参照して詳細に説明する。
【００５１】
制御手段は、温度検出装置昇降制御サブルーチンを実行すると、先ず、＃００１で点火操作があったかどうか判定する。
【００５２】
点火操作があったとき（＃００１）は、ステッピングモータ（モータ）を固定筒上昇の回転方向に回転させ（＃００２）、所定のパルス数だけ駆動させて（＃００３）、ステッピングモータを停止し（＃００４）、温度検出装置昇降制御サブルーチンを終了してメインルーチンにリターンする。
【００５３】
そして、＃００１で点火操作がないと判定した場合は、＃００５に進み、消火操作があったかどうか判定する。
【００５４】
消火操作があったときは、ステッピングモータを固定筒下降方向に回転させ（＃００６）、所定のパルス数だけ駆動させて（＃００７）、ステッピングモータを停止し（＃００８）、温度検出装置昇降制御サブルーチンを終了してメインルーチンにリターンする。
【００５５】
以上のように、この実施形態のガスコンロＡでは、制御手段が、コンロバーナによる加熱を停止する場合には、温度検出装置の下降状態となるように切換手段（を構成するステッピングモータ）を制御し、コンロバーナによる加熱を行う場合には、温度検出装置が上昇状態となり、調理容器が五徳上に載置されている場合には、温度検出装置の当接部が、調理容器の底面に当接するように、切換手段を制御する。
【００５６】
この実施形態のガスコンロＡは、上述のように構成されており、コンロバーナによる加熱が行われていない場合には、温度検出装置９が下降状態となるため、五徳５１上において調理容器４０を移動させるときに、温度検出装置９が他の部材に干渉したりすること（邪魔になること）がない。しかも、温度検出装置９の上昇状態においては、五徳５１上に調理容器４０が載置されたときに当接体１３が調理容器４０の下面の上下位置に追随して上下するため、温度検出装置９によって調理容器４０の温度を適切に検出することができる。
【００５７】
また、この実施形態のガスコンロＡは、上述のように、固定側支持部材１１の一端側１１ａと他端側１１ｂとの間に水平方向に伸びる横引き部１１ｃを備え、固定側支持部材１１の一端側１１ａに切換手段１００が配置されているので、コンロバーナ１を上下方向に貫通する貫通口２から煮汁などが浸入した場合にも、煮汁などが切換手段１００に落下して不具合を招いたりすることを防止することができる。
【００５８】
また、この実施形態のガスコンロＡは、上述のように、固定側支持部材１１の他端側１１ｂを貫通口２に沿って誘導する誘導体（誘導板）８１を具備しているので、固定側支持部材１１の一端側１１ａと他端側１１ｂの間に水平方向に伸びる横引き部１１ｃを備え、固定側支持部材１１の一端側１１ａに切換手段１００が配置された構成とした場合にも、固定側支持部材１１の他端側１１ｂが誘導体（誘導板）８１によって貫通口２に沿って誘導されるので、移動側支持筒１２の上端に配設される当接体１３が調理容器４０の底面に確実に当接させることが可能になる。
【００５９】
なお、この実施形態のガスコンロＡが備えている、固定側支持部材１１の一端側１１ａと他端側１１ｂの間に横引き部１１ｃを備える構成は必須の構成ではなく、横引き部１１ｃを備えていない構成とすることも可能である。
【００６０】
さらに、固定側支持部材１１の他端側１１ｂを貫通口２に沿って誘導する誘導体（誘導板）８１を備えた構成も任意の構成であり、誘導体（誘導板）を備えていない構成とすることも可能である。
【００６１】
［別実施形態］
この実施形態のガスコンロＡは、図７に示すように、温度検出装置９の下降状態において、調理容器４０が五徳５１上に載置されたことが載置検出部８０によって検出されたときには、制御手段が、載置検出部８０が故障していると判断してコンロバーナ１による加熱を停止するように構成されている。
【００６２】
すなわち、温度検出装置９の下降状態においては、図２に示すように当接体１３の上面が五徳５１の上端より下方に位置しており、調理容器４０が五徳５１上に載置されたときであっても、図７に示すように、磁性体（強磁性体）７３は依然マグネット７２とリードスイッチ７１との間に位置することになる。そのため、載置検出部８０は、調理容器４０が五徳５１上に載置されたことを検出することができないので、温度検出装置９の下降状態において、調理容器４０が五徳５１上に載置されたことが載置検出部８０によって検出されたときには、制御手段が、載置検出部８０が故障していると判断することができる。
そして、調理容器４０の載置検出部８０が故障していると判断したときには、コンロバーナ１（１ａ）による加熱を停止することにより、調理容器４０の載置検出部８０が故障した状態でコンロバーナ１（１ａ）による加熱を継続してしまうことが防止されるため、さらに信頼性の高いガスコンロを提供することが可能になる。
【００６３】
なお、上記実施形態では、制御手段が、上述のように切換手段を制御するようにしたガスコンロについて説明したが、切換手段を使用者が手動で制御するように構成することも可能である。
【００６４】
さらに、上記実施形態では、所定の固定部をその中心に雌ねじを形成したナットにより構成したが、所定の固定部は、これに限られるものではなく、雌ねじを形成したナット以外の要素によって固定部を構成することも可能である。
【００６５】
また、上記実施形態では、切換手段を構成するモータとしてステッピングモータを用いているが、ステッピングモータ以外のモータを駆動手段とすることも可能である。
【００６６】
また、上記実施形態では、標準バーナが、温度を検出するための温度検出装置を備えるとともに、温度検出装置の下降状態と、上昇状態とに切り換える切換手段を備えている場合を例にとって説明したが、標準バーナに限らず、高火力バーナや、小バーナが温度検出装置および切換手段を備えているような構成とすることも可能である。
【００６７】
また、上記実施形態では、ドロップインコンロを例にとって説明したが、本発明はテーブルコンロにも適用することが可能である。
【００６８】
本発明は、さらにその他の点においても、上記実施形態に限定されるものではなく、本発明の範囲内において種々の変形を加えることが可能である。
【符号の説明】
【００６９】
１ａ        標準バーナ
１ｂ        高火力バーナ
１ｃ        小バーナ
２          コンロバーナの貫通口
４          グリル部
９          温度検出装置（温度センサ）
１１        固定側支持部材（固定部材）
１１ａ      固定側支持部材（固定部材）の一端側
１１ｂ      固定側支持部材（固定部材）の他端側
１１ｃ      固定側支持部材（固定部材）の横引き部
１２        移動側支持筒（可動筒）
１３        当接体
１４        サーミスタ
２１（２１ａ，２１ｂ，２１ｃ）    加熱状態調節部
２２        グリルバーナ操作部
２４        電源スイッチ
２５        電源ランプ
３２        標準バーナ用の付加機能操作・表示部
３３        グリル用の付加機能操作・表示部
３４        手動操作部
４０        調理容器
４５        サーミスタ用リード線
５１        五徳
６１        固定部（ナット）
６２        固定部（ナット）の雌ねじ
６４        出力軸（モータ出力軸）
６５        出力軸（モータ出力軸）の雄ねじ
６６        モータ（ステッピングモータ）
７１        リードスイッチ
７２        マグネット（永久磁石）
７３        磁性体（強磁性体）
８０        載置検出部
８１        誘導体（誘導板）
１００      切換手段
Ａ          ガスコンロ
【図１】
0006563740.tif 000002
【図２】
0006563740.tif 000003
【図３】
0006563740.tif 000004
【図４】
0006563740.tif 000005
【図５】
0006563740.tif 000006
【図６】
0006563740.tif 000007
【図７】
0006563740.tif 000008